(57)【要約】【課題】印刷媒体に、不可視のリンク情報をバーコードとして印刷し、バーコード・リーダにより、リンク情報を読み取り、リンク情報により、計算機端末、またはネットワーク上のサーバ計算機に要求したリンク先情報を記録、または参照する方法と装置を提供する。【解決手段】印刷媒体の、リンク先情報を要求するテキスト・図について、テキスト・図の下層に、赤外線吸収インクにより、リンク情報を記録したバーコードを印刷し、計算機端末に接続する、赤外線を読み取り可能なバーコード・リーダにより、リンク情報を読み取り、計算機端末にリンク情報を送信し、リンク情報によりリンク先情報を記録、または参照できるリンク情報参照ソフトウエアにより、計算機端末、またはネットワーク上のサーバ計算機に、要求されたテキスト・画像・音声など、印刷媒体のテキスト・図についての関連情報を、リンク先情報として記録、または参照する。【選択図】図２
2005085246.tif 000002
【特許請求の範囲】
【請求項１】
不可視の赤外線吸収インクと、
赤外線を読み取り可能なバーコード・リーダと、
計算機端末と、
リンク情報を取得して、計算機端末、またはサーバ計算機に要求したリンク先情報を記録、または参照できるソフトウエアと、において、
前記不可視の赤外線吸収インクにより、前記リンク情報を記録したバーコードを、印刷媒体のテキスト・図の下層、または近傍に印刷し、
前記赤外線を読み取り可能なバーコード・リーダにより、
前記バーコードから前記リンク情報を読み取り、
前記バーコード・リーダに接続する前記計算機端末に、前記リンク情報を送信し、
前記計算機端末にインストールされた前記リンク情報参照ソフトウエアにより、前記計算機端末、またはネットワーク上のサーバ計算機に、
テキスト・画像・音声など、前記テキスト・図についての関連情報を、リンク先情報として、記録、または参照することを特徴とするリンク情報印刷・読取、およびリンク先情報記録・参照方法と装置。
【発明の詳細な説明】
【発明の詳細な説明】
【技術分野】
【０００１】印刷媒体に、赤外線吸収インクにより、リンク情報を記録したバーコードを印刷し、赤外線を読み取り可能なバーコード・リーダにより、リンク情報を読み取り、リンク情報によりリンク先情報を記録、または参照できるリンク情報参照ソフトウエアにより、計算機端末、またはネットワーク上のサーバ計算機に、要求されたテキスト・画像・音声などを、リンク先情報として記録、または参照する方法と装置を提供する。
【背景技術】
【０００２】従来、印刷媒体のテキスト・図にバーコードを付し、バーコード・リーダにより、バーコードとして記録されたリンク情報を読み取り、リンク情報により、計算機端末、またはネットワーク上のサーバ計算機に要求したリンク先情報を参照する方法がある。従来の方法では、バーコードが可視インクにより印刷されるため、バーコードの印刷枠をテキスト・図とは別に設け、印刷する必要があり、読みにくく、印刷体裁に大きな制約があった。
特許文献：特開平０９−０６２１７６〔発明の名称〕学習支援システム
【発明が解決しようとする課題】
【０００３】バーコードを可視インクにより印刷する方法では、印刷枠をテキスト・図とは別に設け、印刷する必要があり、読みにくく、印刷体裁に大きな制約がある。
【０００４】本発明は、可視インクに替わり、不可視の赤外線吸収インクにより、媒体の印刷体裁を損なうことなく、リンク情報を記録したバーコードを印刷し、赤外線を読み取り可能なバーコード・リーダにより、前記バーコードから前記リンク情報を読み取り、前記バーコード・リーダに接続する計算機端末に、前記リンク情報を送信し、前記リンク情報によりリンク先情報を記録、または参照できるリンク情報参照ソフトウエアにより、前記計算機端末、またはネットワーク上のサーバ計算機に、要求されたテキスト・画像・音声など、印刷媒体のテキスト・図についての関連情報を、リンク先情報として記録、または参照する方法と装置を提供することを目的とする。
【課題を解決するための手段】
【０００５】不可視の赤外線吸収インクと、
赤外線を読み取り可能なバーコード・リーダと、
計算機端末と、
リンク情報を取得して、計算機端末、またはサーバ計算機に要求したリンク先情報を記録、または参照できるソフトウエアと、において、
前記不可視の赤外線吸収インクにより、前記リンク情報を記録したバーコードを、印刷媒体のテキスト・図の下層、または近傍に印刷し、
前記赤外線を読み取り可能なバーコード・リーダにより、
前記バーコードから前記リンク情報を読み取り、
前記バーコード・リーダに接続する前記計算機端末に、前記リンク情報を送信し、
前記計算機端末にインストールされた前記リンク情報参照ソフトウエアにより、前記計算機端末、またはネットワーク上のサーバ計算機に、
テキスト・画像・音声など、前記テキスト・図についての関連情報を、リンク先情報として、記録、または参照する。
【発明の効果】
【０００６】可視インクに替わり、不可視の赤外線吸収インクにより、媒体の印刷体裁を損なうことなく、リンク情報を記録したバーコードを印刷し、赤外線を読み取り可能なバーコード・リーダにより、前記バーコードから前記リンク情報を読み取り、前記バーコード・リーダに接続する計算機端末に、前記リンク情報を送信し、前記リンク情報によりリンク先情報を記録、または参照できるリンク情報参照ソフトウエアにより、前記計算機端末、またはネットワーク上のサーバ計算機に、要求されたテキスト・画像・音声など、印刷媒体のテキスト・図についての関連情報を、リンク先情報として記録、または参照できる。
【発明を実施するための最良の形態】
【０００７】以下に実施の構成を示す。
本発明によるリンク情報印刷・読取およびリンク先情報記録・参照方法および装置は、バーコード〔Ａ〕と、
バーコード・リーダ〔Ｂ〕と、
計算機端末〔Ｃ〕、またはサーバ計算機〔Ｄ〕と、
リンク情報参照ソフトウエア〔Ｃ１〕とからなる。【０００８】印刷媒体のテキスト・図の印刷層の下層に印刷するバーコード〔Ａ〕は、コンピュータの自動入力システム（自動認識技術）で使われるバーコードで、ＪＡＮコードなどとして商品に貼付され、ＰＯＳシステムと組み合わせ、物流管理・販売管理などに利用されている１次元バーコードである。本発明の１次元バーコードは、符号化文字集合（文字および制御コード）をＣＯＤＥ１２８などのバーコード規格によりコード化したものである。【０００９】バーコード〔Ａ〕は、赤外線吸収インクにより印刷する。赤外線吸収インクは、赤外領域には吸収を有するが、可視領域には吸収のない赤外線吸収インクである。３種プロセスインクからなる印刷層の下に赤外線吸収インクにより印刷されたバーコードは、３種プロセスインクからなる印刷層により不可視で、かつ、赤外線領域において３種プロセスインクからなる印刷層を検知されず、赤外線吸収インクによる印刷層を検知される。
特許文献：特開２０００−３０９７３６〔発明の名称〕赤外線吸収インキ組成物およびそれを用いた印刷物【００１０】バーコード・リーダ〔Ｂ〕は、コンピュータの自動入力システム（自動認識技術）で使われる読み取り装置で、ＰＯＳシステムと組み合わせ商品に貼付されたバーコードを、光学的方法で読み取り、物流管理・販売管理などに利用できる。本発明のバーコード・リーダ〔Ｂ〕は、赤外線領域において３種プロセスインクからなる印刷層を検知せず、赤外線吸収インクによる印刷層を検知できる赤外線を読み取り可能な赤外線ＬＥＤ＆フォトダイオード・バーコード・リーダである。【００１１】計算機端末〔Ｃ〕は、通信によりバーコード・リーダに接続し、リンク情報を受信する。【００１２】リンク情報参照ソフトウエア〔Ｃ１〕は、リンク情報により、計算機端末、またはネットワーク上のサーバ計算機〔Ｄ〕に要求したリンク先情報を、計算機端末に記録、または参照する機能を備える。【００１３】以上により、印刷媒体に、赤外線吸収インクにより、リンク情報を記録したバーコードを印刷し、赤外線を読み取り可能なバーコード・リーダにより、リンク情報を読み取り、リンク情報によりリンク先情報を記録、または参照できるリンク情報参照ソフトウエアにより、計算機端末、またはネットワーク上のサーバ計算機に、要求されたテキスト・画像・音声などを、リンク先情報として記録、または参照する方法と装置を提供する。【００１４】以下に実施の形態を示す。
あらかじめ、本・雑誌・教科書・問題集などの記載内容について、計算機端末、またはサーバ計算機の記憶装置に、前記記載内容の関連情報をリンク先情報として記録し、リンク先情報を計算機端末、またはネットワーク上のサーバ計算機に要求できるよう、単語・句・文・図・ブランケットなどの単位でリンク個所を示すため、書体・色・下線などの属性を加え（図３−２）、同時に前記テキスト・図の印刷層の下層に赤外線吸収インクにより、リンク情報を記録した不可視のバーコードを印刷する。（図３−１）【００１５】前記記載内容への関連情報をリンク先情報として要求するリンク情報は、前記関連情報の記録された物理・論理レコード番号、またはシーケンス番号、またはファイルパス、またはＵＲＬなどであり、バーコード規格によりコード化し、赤外線吸収インクにより紙媒体に印刷する。【００１６】（図２）の赤外線を読み取り可能なバーコード・リーダ〔Ｂ〕によりリンク情報が記録されたバーコードを読み取り、要求されたリンク先情報を記録、または参照するため、リンク情報からリンク先情報を表示できるリンク情報参照ソフトウエア〔Ｃ１〕を計算機端末にインストールする。【００１７】バーコード・リーダ〔Ｂ〕は、リンク個所を示すため、書体・色・下線などの属性を加え印刷された単語・句・文・図・ブランケットなどの印刷層の下層に赤外線吸収インクにより印刷されたバーコードを読み取り、取得したリンク情報を計算機端末に送信する。（図４）【００１８】リンク情報参照ソフトウエア〔Ｃ１〕は、リンク情報を受信して、リンク情報により、計算機端末、またはネットワーク上のサーバ計算機に、テキスト・画像・音声など、印刷された単語・句・文・図・ブランケットなどについての関連情報を、リンク先情報として記録、または参照する。
【実施例】
【００１９】第一実施例として、本発明よる外国語学習支援について述べる。（図４）
外国語学習テキストについて、音声データを再生、同時に対訳、および関連情報を参照したい単語・句・文の印刷層の下層に、赤外線吸収インクにより、リンク情報を記録した不可視のバーコードを印刷する。【００２０】音声データは、ＣＤ・ＭＰ３など音声ファイルで記録し、同時に前記単語・句・文の対訳および関連情報を、計算機端末、またはネットワーク上のサーバ計算機に記録、または参照する。【００２１】リンク情報は、ＣＤ・ＭＰ３など音声ファイルの記録方式に従って、アルバム・トラック・サウンドユニットなど音声データを単語・句・文の単位で指定できるよう生成する。【００２２】文・句・単語はリンク個所を示すため、書体・色・下線などの属性を加え印刷する。（図３−２）文の音声データを再生、または表示する場合には、文頭の左余白、または近傍に文の音声データの対応ブロックのリンク情報を不可視のバーコードとして印刷し、句・単語の音声データを再生する場合には、前記句・単語の印刷層の下層、または近傍に音声データの対応ブロックのリンク情報を不可視のバーコードとして印刷する。また、単語・句・文の音声データの対応ブロックのリンク情報を、同時に、単語・句・文の対訳、および関連情報へのリンク情報へのインデックスとする。【００２３】外国語学習テキストの単語・句・文の音声データを再生、または関連情報を記録、または参照する場合は、赤外線バーコード・リーダにより前記、単語・句・文の不可視のバーコードの印刷領域をスキャンし、赤外線吸収インクにより印刷されたバーコードから単語・句・文へのリンク情報を読み取る。【００２４】バーコード・リーダは、接続した計算機端末に読み取ったリンク情報を送信し、リンク情報参照ソフトウエアにより、予め記録された音声データを再生、または関連情報を記録、または参照する。【００２５】また、ＭＰ３などの音声ファイルによれば、単語・句・文の音声データへのリンク情報を音声ファイルの記録方式に従って、アルバ厶・トラック・サウンドユニットなどの単位で指定できるよう生成し、バーコードとして記録し、バーコード・リーダ〔Ｂ〕によりリンク情報を読み取り、リンク先情報として即座に、正確に単語・句・文の単位で指定して音声ファイルを再生できる。【００２６】また、計算機端末として、ワイヤレス通信が可能な携帯情報端末を利用すれば、電車の中など、場所・場面にとらわれず、外国語の効果的な学習を行える。また、図などは、容易に読み取れるように図の印刷領域全体を利用して不可視のバーコードを印刷しても図の体裁をそこなうことがない。【００２７】また、外国語学習テキストの単語のアルファベット綴りをＣＯＤＥ１２８などのバーコード規格によりアルファベット綴りのままコード化し、バーコードとして単語に付し、バーコード・リーダにより前記コード化したバーコード情報を単語として復号化し、単語の綴りにより電子辞書を引き、音声・テキスト、および関連情報を参照してもよい。【００２８】また、多肢選択問題や穴埋め問題の解答個所にリンク情報をバーコードとして印刷し、解答をリンク先情報として記録、または参照してもよい。【００２９】第二実施例として、本発明による音声メモについて述べる。
あらかじめ、付箋メモ（ポストイット）に、赤外線吸収インクにより、リンク情報を記録した不可視のバーコードを印刷し、不可視のバーコードの上層にスケジュール（遊び・学習・仕事・金銭出納など）アイコンを印刷する。【００３０】音声メモによりスケジュールをカレンダーに記録するには、スケジュール・アイコンが印刷された付箋メモ（ポストイット）をカレンダーの予定日に貼付する。
赤外線を読み取り可能なバーコード・リーダ〔Ｂ〕により、付箋メモ（ポストイット）に印刷されたバーコードからリンク情報を読み取り、リンク情報からリンク先情報を記緑、または参照できるリンク情報参照ソフトウエア〔Ｃ１〕により、スケジュールを音声メモとして記録する。【００３１】カレンダーの予定日から、音声メモを再生する場合には、バーコード・リーダ〔Ｂ〕により、予定日に貼付されたバーコードを読み取り、取得したリンク情報を計算機端末に送信し、リンク情報参照ソフトウエア〔Ｃ１〕により、スケジュールを音声メモとして再生する。【００３２】従来の音声メモ装置では、音声メモが記録対象とは独立して、単独で音声のみを記録するが、本発明によれば、カレンダーなどの日用品に、音声メモへのリンク情報を付箋メモ（ポストイット）として貼付し、バーコード・リーダ〔Ｂ〕によりリンク情報を読み取り、リンク先情報として音声データを再生し、「モノ」に関連づけた音声メモとすることができる。また、従来の音声メモでは、複数の音声メモを記録した場合、再生の頭出しが難しいが、本発明のＭＰ３などの音声ファイルによれば、音声メモへのリンク情報を音声ファイルの記録方式に従って、アルバ厶・トラック・サウンドユニットなどの単位で指定できるよう生成し、バーコードとして付箋メモ（ポストイット）に記録し、バーコード・リーダ〔Ｂ〕によりリンク情報を読み取り、リンク先情報として音声データを再生し、再生の頭出しが正確な音声メモとすることができる。
【発明の効果】
【００３３】以上のように、本発明によれば、可視インクに替わり、不可視の赤外線吸収インクにより、媒体の印刷体裁を損なうことなく、リンク情報を記録したバーコードを印刷し、赤外線を読み取り可能なバーコード・リーダにより、前記バーコードから前記リンク情報を読み取り、前記バーコード・リーダに接続する計算機端末に、前記リンク情報を送信し、前記リンク情報によりリンク先情報を記録、または参照できるリンク情報参照ソフトウエアにより、前記計算機端末、またはネットワーク上のサーバ計算機に、要求されたテキスト・画像・音声など、印刷媒体のテキスト・図についての関連情報を、リンク先情報として記録、または参照できる。
【図面の簡単な説明】
【図１】バーコード・リーダ
【図２】システムの全体構成図
【図３−１】ブロック構成図  印刷媒体
【図３−２】ブロック構成図  印刷例
【図４】ブロック構成図  読み取り例
【符号の説明】
Ａ    バーコード
Ｂ    バーコード・リーダ
Ｂ１  通信部
Ｂ２  読取部
Ｃ    計算機端末
Ｃ１  リンク情報参照ソフトウエア
Ｃ２  通信部
Ｄ    サーバ計算機
【図１】
2005085246.tif 000003
【図２】
2005085246.tif 000004
【図３−１】
2005085246.tif 000005
【図３−２】
2005085246.tif 000006
【図４】
2005085246.tif 000007